(57)【要約】【課題】排尿動作の際に、ウエスト部の開閉部を容易に開放でき、排尿を容易に行うことができるズボンを提供する。【解決手段】ウエスト部１１及びウエストベルト部１４の前身頃の中央部に対し、股下１７付近から前記ウエストベルト部１４へ至る縦方向の内外側の開閉部１８，１９を設ける。前記内側の開閉部１８の縦方向の側端縁１８ａに対し腰周り方向に延在する遮蔽部２０を設ける。両開閉部１８，１９の上端部を第１ホックＨ１により連結可能にする。前記遮蔽部２０の上側先端部を前記ウエストベルト部１４に対し第２ホックＨ２により連結可能にする。前記ウエスト部１１の開閉部１８，１９のスライドファスナーを省略することができるので、両開閉部１８，１９の開閉を容易に行うことができ、排尿動作を容易に行うことができる。【選択図】図１
2008031604.tif 000002
【特許請求の範囲】
【請求項１】
ウエスト部及びウエストベルト部の前身頃に対し、前記ウエスト部の股下付近から前記ウエストベルト部に至る内外側の開閉部を設け、前記ウエストベルト部に対し前記両開閉部の上端部の連結を行うことができる第１連結手段を設けたズボンにおいて、
前記両開閉部のうち内側の開閉部の縦方向に指向する側端縁に対し、腰周り方向に張り出す遮蔽部を設け、該遮蔽部の上側先端部を該先端部と対応する前記ウエストベルト部に連結することができる第２連結手段を設けたことを特徴とするズボン。  
【請求項２】
請求項１において、前記内側の開閉部及び遮蔽部の少なくとも開閉部には芯材が縫着されていることを特徴とするズボン。
【請求項３】
請求項１又は２において、前記両開閉部の縦方向の中間部には両開閉部を局部的に係止し、かつワンタッチで係止できるとともに、係止状態をワンタッチで解除可能な係止手段が設けられていることを特徴とするズボン。
【請求項４】
請求項１〜３のいずれか一項において、前記遮蔽部は弾性変形可能な布により形成されていることを特徴とするズボン。
【発明の詳細な説明】
【技術分野】
【０００１】
本発明は、男性が排尿動作を行う際に、ズボンのウエスト部の前身頃に縦方向に設けられた開閉部の開閉操作を容易に行い、排尿動作を容易に行うことができるズボンに関する。
【背景技術】
【０００２】
一般にズボンは、ウエスト部及び該ウエスト部の上端開口縁に縫着されたウエストベルト部の前身頃の中央部に対し、股下付近からウエストベルト部に至る内外側の開閉部を設けている。又、前記ウエスト部の開閉部の互いに接触される対向面に対し、縦方向に縫着されたスライドファスナーによりウエスト部の開閉部の開閉を行うことができるようになっている。
【発明の開示】
【発明が解決しようとする課題】
【０００３】
ところが、従来のズボンは、スライドファスナーによりウエスト部の開閉部の開閉を行うようになっているので、男性が排尿する際に、前記スライドファスナーの開閉操作用のスライダを上下方向に移動操作しなければならないという問題があった。特に、被介護者にとっては前記のスライダの上下操作が煩わしく、開放操作が遅れると、排尿動作が適正にできないおそれもあった。
【０００４】
さらに、排尿動作の後にスライドファスナーを閉め忘れると、ウエスト部の開閉部が開放されたままとなるので、体裁が悪くなるという問題もあった。
加えて、前記スライドファスナーは締めた状態で、ウエスト部の開閉部の形状に影響を与え、椅子に腰掛けた状態では、スライドファスナーによりウエスト部の開閉部が盛り上がることもあるので、ウエスト部の開閉部の外観が損なわれるという問題もあった。
【０００５】
本発明は、上記従来の問題点を解消して、排尿動作の際に、ウエスト部の開閉部を容易に開閉でき、排尿動作を容易に行うことができるとともに、開閉部の外観が損なわれるのを防止することができるズボンを提供することにある。
【課題を解決するための手段】
【０００６】
上記問題点を解決するために、請求項１に記載の発明は、ウエスト部及びウエストベルト部の前身頃に対し、前記ウエスト部の股下付近から前記ウエストベルト部に至る内外側の開閉部を設け、前記ウエストベルト部に対し前記両開閉部の上端部の連結を行うことができる第１連結手段を設けたズボンにおいて、前記両開閉部のうち内側の開閉部の縦方向に指向する側端縁に対し、腰周り方向に張り出す遮蔽部を設け、該遮蔽部の上側先端部を該先端部と対応する前記ウエストベルト部に連結することができる第２連結手段を設けたことを要旨とする。
【０００７】
請求項２に記載の発明は、請求項１において、前記内側の開閉部及び遮蔽部の少なくとも開閉部には芯材が縫着されていることを要旨とする。
請求項３に記載の発明は、請求項１又は２において、前記両開閉部の縦方向の中間部には両開閉部を局部的に係止し、かつワンタッチで係止できるとともに、係止状態をワンタッチで解除可能な係止手段が設けられていることを要旨とする。
【０００８】
請求項４に記載の発明は、請求項１〜３のいずれか一項において、前記遮蔽部は弾性変形可能な布により形成されていることを要旨とする。
（作用）
請求項１に記載の発明は、ズボンの着用状態で前記ウエスト部の股下から第２連結手段に至る遮蔽部が該第２連結手段により吊り上げられ、これにより内側の開閉部も遮蔽部と同様に吊り上げられる。このため、内外側の開閉部の対向面が接触状態に保持され、両開閉部が開放されることはなく、ファスナーを省略することができる。従って、排尿動作の際に、ファスナーがないので、ウエスト部の開閉部の開閉操作を容易に行うことができ、排尿動作を容易に行うことができる。又、開閉部にファスナーが無いので、開閉部がファスナーによって盛り上がることもなく、開閉部の外観が損なわれるのを防止することができる。
【０００９】
請求項２に記載の発明は、前記内側の開閉部及び遮蔽部の少なくとも開閉部には芯材が縫着されているので、内側の開閉部が外側の開閉部よりも屈曲し難くなり、内側の開閉部の形状に倣って外側の開閉部が内側の開閉部に接触され、両開閉部の接触状態を安定化することができる。
【００１０】
請求項３に記載の発明は、前記両開閉部の縦方向の中間部には局部的に係止手段が設けられているので、両開閉部の閉鎖状態を安定して保持することができる。
請求項４に記載の発明は、前記遮蔽部が弾性変形可能な布により形成されているので、排尿動作の際に該遮蔽部を縮小する方向に弾性変形させることができ、排尿動作をさらに容易に行うことができる。
【発明の効果】
【００１１】
本発明によれば、排尿動作の際に、ウエスト部の開閉部の開閉動作を容易に行うことができ、排尿動作を容易に行うことができるとともに、開閉部の外観が損なわれるのを防止することができる。
【発明を実施するための最良の形態】
【００１２】
以下、本発明を具体化したズボンの一実施形態を図１〜図４にしたがって説明する。
図１に示すようにこのズボンは、ウエスト部１１と、該ウエスト部１１の下部に一体に形成された左右一対の脚部１２，１３と、前記ウエスト部１１の上端開口部に縫着されたウエストベルト部１４とにより構成されている。前記ウエストベルト部１４には図示しないバンドを挿通するためのバンド通し１５が複数箇所に設けられている。前記ウエスト部１１の左右両側には、左右一対のポケット１６が設けられている。前記ウエスト部１１及びウエストベルト部１４の前身頃の中央部には、ウエスト部１１の股下１７付近からウエストベルト部１４に至る内外の開閉部１８，１９が設けられている。
【００１３】
前記内側の開閉部１８の縦方向の側端縁１８ａ（図１の二点鎖線参照）には、前記ウエスト部１１及びウエストベルト部１４を腰周り（図１の右）方向に張り出して正面ほぼ三角形状をなす遮蔽部２０が形成されている。前記内側の開閉部１８及び遮蔽部２０の表地と裏地の間には、図４に示すように例えば薄手の綿製の芯材２１が収容され、図示しないステッチにより縫い合わせされている。
【００１４】
前記内側の開閉部１８を形成するウエストベルト部１４の表面には、第１連結手段としての第１ホックＨ１の雌ホック２２が取り付けられ、外側の開閉部１９を形成するウエストベルト部１４の裏面には、前記雌ホック２２に取り外し可能に係止される第１ホックＨ１の雄ホック２３が取り付けられている。
【００１５】
前記遮蔽部２０の上側先端部には、前記第１ホックＨ１の雌ホック２２から遮蔽部２０の張り出し方向に離隔した位置に、第２連結手段としての第２ホックＨ２の雌ホック２４が取り付けられ、ウエストベルト部１４の裏面には、前記雄ホック２３から離隔した位置に、前記雌ホック２４に取り外し可能に係止される第２ホックＨ２の雄ホック２５が取り付けられている。
【００１６】
前記内側の開閉部１８の上下方向の中間部の表面には、係止手段としての第３ホックＨ３の雌ホック２６が取り付けられ、外側の開閉部１９の裏面には、前記雌ホック２６に取り外し可能に係止される第３ホックＨ３の雄ホック２７が取り付けられている。
【００１７】
次に、前記のように構成されたズボンの使用方法について説明する。
図１に示すように第１〜第３ホックＨ１〜Ｈ３を分離した状態において、図２に示すようにズボンを男性の身体（図示略）に着用し、第１〜第３ホックＨ１〜Ｈ３を結合状態にする。排尿動作の際には、第３ホックＨ３のみの係止状態をワンタッチで解除して、接触状態の前記両開閉部１８，１９に間に手を入れて該開閉部１８，１９を開放すればよい。
【００１８】
上記実施形態のズボンによれば、以下のような効果を得ることができる。
（１）上記実施形態では、内側の開閉部１８に遮蔽部２０を設け、開閉部１８，１９の上端部を第１ホックＨ１により連結し、遮蔽部２０の上端部の先端部を第２ホックＨ２によってウエストベルト部１４の裏地に連結するようにした。このため、ズボンの着用状態で前記ウエスト部１１の股下１７から第２ホックＨ２に至る遮蔽部２０が該第２ホックＨ２により吊り上げられ、これにより内側の開閉部１８も遮蔽部２０と同様に吊り上げられる。従って、着用者がどのような姿勢をとっても両開閉部１８，１９を接触状態に保持でき、両開閉部１８，１９の間のファスナーを省略することができる。この結果、排尿動作の際に、両開閉部１８，１９を容易に開閉することができ、排尿動作を高齢者、幼児あるいは被介護者が容易に行うことができる。
【００１９】
（２）上記実施形態では、第３ホックＨ３のように開閉部１８，１９をワンタッチで係止し、ワンタッチで係止状態を解除できる係止手段を局部的に設けたので、両開閉部１８，１９を接触状態にさらに安定して保持することができる。
【００２０】
（３）記実施形態では、内側の開閉部１８及び遮蔽部２０に芯材２１を設け、外側の開閉部１９よりも開閉部１８及び遮蔽部２０が屈曲し難くなるようにしたので、内側の開閉部１８の屈曲形状に追従して開閉部１９が屈曲され、両開閉部１８，１９の接触状態を安定して保持することができる。
【００２１】
（４）記実施形態では、第１〜第３ホックＨ１〜Ｈ３を用いたので、人体へのズボンの脱着作業を容易に行うことができる。
なお、上記実施形態は以下のように変更してもよい。
【００２２】
・図５に示すように、前記ウエストベルト部１４に対し第１連結手段及び第２連結手段を構成する面ファスナー３１，３２を形成してもよい。第３ホックＨ３に代えて、チップ状の面ファスナー３３，３４を用いてもよい。
【００２３】
・図示しないが、前記遮蔽部２０を伸縮性を有する布地により形成してもよい。
・前記第１連結手段及び第２連結手段として、第１，第２ホックＨ１，Ｈ２、ボタンとボタン孔，止め金具とフック及びスライドファスナーの群のなかから少なくとも一種を選択してもよい。
【００２４】
・前記芯材２１を内側の開閉部１８のみに形成してもよい。
・前記第３ホックＨ３又は面ファスナー３３，３４を省略してもよい。
・前記第３ホックＨ３又は面ファスナー３３，３４に代えて、磁石を用いてもよい。
（技術的思想）
前記実施形態から把握される請求項以外の技術的思想について以下に説明する。
【００２５】
（１）請求項１〜４のいずれか一項において、前記第１連結手段及び第２連結手段は、ホック、ボタンとボタン孔、ファスナー及びフックと該フックを引き止める金具の群のなかから選択されたものであることを特徴とするズボン。
【図面の簡単な説明】
【００２６】
【図１】この発明のズボンを具体化した一実施形態の開閉部の開放状態を示す正面図。
【図２】ズボンの使用状態を示す正面図。
【図３】ズボンのウエストベルト部の略体平面図。
【図４】ズボンの開閉部の第３ホック付近の略体断面図。
【図５】この発明の別の実施形態を示すズボンの開閉部の開放状態を示す正面図。
【符号の説明】
【００２７】
１１…ウエスト部、１４…ウエストベルト部、１８，１９…開閉部、１８ａ…側端縁、２０…遮蔽部、２１…芯材。
【図１】
2008031604.tif 000003
【図２】
2008031604.tif 000004
【図３】
2008031604.tif 000005
【図４】
2008031604.tif 000006
【図５】
2008031604.tif 000007